(57)【要約】本発明は、注文に含まれる各々の作業に対して作成される複数の生産物を迅速かつ確実に対応付けることができる受付端末及び注文処理システム並びに注文処理方法を提供する。受付端末に、予め定められたルールに従って画像ファイルを利用した注文に含まれる各々の作業を識別する識別情報を生成する識別情報生成手段と、識別情報が記載された注文票や紙片、シールなどを出力させる印刷指示手段と、記録媒体作成装置やプリント作成装置などの出力装置に識別情報が記録された注文情報ファイルなどを送信する送信手段とを少なくとも備え、出力装置に、注文情報ファイルなどを受信する受信手段と、識別情報を表示手段に表示させる表示制御手段と、各々の作業に対応する識別情報が記録された生産物を作成する出力手段とを少なくとも備え、識別情報を利用して複数の生産物を迅速かつ確実に対応付ける。【特許請求の範囲】
【請求項１】
画像ファイルを利用した注文を受け付ける受付端末において、
予め定められたルールに従って、前記注文に含まれる各々の作業を識別するための識別情報を生成する識別情報生成手段を少なくとも備えることを特徴とする受付端末。
【請求項２】
更に、少なくとも前記注文に関する情報と前記識別情報とが記載された注文票を印刷手段に出力させる印刷指示手段を備えることを特徴とする請求の範囲第１項に記載の受付端末。
【請求項３】
前記印刷指示手段は、前記注文に関する情報と前記識別情報とを区画して記載させ、前記識別情報が記載された区画を前記注文票から切り離して利用可能とすることを特徴とする請求の範囲第２項に記載の受付端末。
【請求項４】
前記印刷指示手段は、前記注文票に加えて、少なくとも前記識別情報が記載された紙片又はシールを印刷手段に出力させることを特徴とする請求の範囲第２項又は第３項に記載の受付端末。
【請求項５】
画像ファイルを利用した注文を受け付ける受付端末と、前記注文の処理を行う出力装置とを少なくとも備える注文処理システムにおいて、
前記受付端末に、予め定められたルールに従って、前記注文に含まれる各々の作業を識別するための識別情報を生成する識別情報生成手段と、少なくとも前記注文に関する情報と前記識別情報とが記載された注文票を印刷手段に出力させる印刷指示手段と、少なくとも前記識別情報を前記出力装置に送信する送信手段と、を少なくとも備え、
前記出力装置に、少なくとも前記識別情報を受信する手段と、前記識別情報が記録された生産物を作成する出力手段と、を少なくとも備えることを特徴とする注文処理システム。
【請求項６】
前記出力装置に、前記識別情報を表示手段に表示させる表示制御手段を備えることを特徴とする請求の範囲第５項に記載の注文処理システム。
【請求項７】
前記印刷指示手段は、前記注文に関する情報と前記識別情報とを区画して記載させ、前記識別情報が記載された区画を前記注文票から切り離して利用可能とすることを特徴とする請求の範囲第５項又は第６項に記載の注文処理システム。
【請求項８】
前記印刷指示手段は、前記注文票に加えて、少なくとも前記識別情報が記載された紙片又はシールを印刷手段に出力させることを特徴とする請求の範囲第５項乃至第７項のいずれか１項に記載の注文処理システム。
【請求項９】
画像ファイルを利用した注文を受け付ける受付端末における注文処理方法であって、
前記注文を受け付ける処理と、
予め定められたルールに従って、前記注文に含まれる各々の作業を識別するための識別情報を生成する処理と、
少なくとも前記注文に関する情報と前記識別情報とが記載された注文票を印刷手段に出力させる処理と、を少なくとも行うことを特徴とする注文処理方法。
【請求項１０】
画像ファイルを利用した注文を受け付ける受付端末と、前記注文の処理を行う出力装置とを少なくとも備える注文処理システムにおける注文処理方法であって、
前記受付端末で、
前記注文を受け付ける処理と、
予め定められたルールに従って、前記注文に含まれる各々の作業を識別するための識別情報を生成する処理と、
少なくとも前記注文に関する情報と前記識別情報とが記載された注文票を印刷手段に出力させる処理と、
少なくとも前記識別情報を前記出力装置に送信する処理と、を少なくとも行い、
前記出力装置で、
少なくとも前記識別情報を受信する処理と、
前記識別情報が記録された生産物を作成する処理と、を少なくとも行い、
前記注文票に記載された識別情報と前記生産物に記録された識別情報とを参照して、前記各々の作業に対して作成される複数の前記生産物の対応付けを行うことを特徴とする注文処理方法。
【請求項１１】
前記出力装置で、前記識別情報を表示手段に表示させる処理を行い、
前記注文票に記載された識別情報と前記表示手段に表示された識別情報と前記生産物に記録された識別情報とを参照して、前記各々の作業に対して作成される複数の前記生産物の対応付けを行うことを特徴とする請求の範囲第１０項に記載の注文処理方法。
【請求項１２】
前記注文票の出力に際し、前記注文に関する情報と前記識別情報とを区画して記載し、前記識別情報が記載された区画を前記注文票から切り離して利用可能とすることを特徴とする請求の範囲第９項乃至第１１項のいずれか１項に記載の注文処理方法。
【請求項１３】
前記注文票の出力に際し、前記注文票に加えて、少なくとも前記識別情報が記載された紙片又はシールを印刷手段に出力させることを特徴とする請求の範囲第９項乃至第１２項のいずれか１項に記載の注文処理方法。
【請求項１４】
画像ファイルを利用した注文の処理を行うプログラムであって、
予め定められたルールに従って、前記注文に含まれる各々の作業を識別するための識別情報を生成する識別情報生成ステップをコンピュータに実行させることを特徴とするプログラム。
【発明の詳細な説明】
【技術分野】
【０００１】
本発明は、画像ファイルを利用した注文の処理を行う受付端末、注文処理システム、注文処理方法およびプログラムに関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では受付端末を用いてデジタルカメラやメディア、ＣＤ−Ｒから画像ファイルを読み取り、読み取った画像ファイルを用いて高精細な写真プリントを作成したり、該画像ファイルを他のＣＤ−Ｒなどの記録媒体に記録するなどの処理を行う。（上記受付端末に関しては、例えば、下記特許文献１参照）。
【特許文献１】特開２００４−２０１１１３号公報（第１０−１９頁、第１図）
【発明の開示】
【発明が解決しようとする課題】
【０００３】
上記受付端末を用いて注文を行うと、オペレータは記録媒体作成装置やプリント作成装置などの出力装置を制御して、画像ファイルが記録された記録媒体の作成や写真プリント、インデックスプリント、ジャケットプリントの作成などの作業を行うが、１つの注文に１つの作業のみが含まれる場合は稀であり、通常は１つの注文に複数の作業（例えば、記録媒体の作成とインデックスプリントの作成など）が混在している場合が多く、その場合には、各々の作業に対して作成された複数の生産物（例えば、記録媒体とインデックスプリント）を対応付けてユーザに提供することになる。【０００４】
ここで、例えば、記録媒体とインデックスプリントを１枚ずつ作成する注文の場合などでは、各々の注文に対して付与される注文番号や受付番号などを利用してこれらの生産物を対応付けることが可能であるが、画像ファイルの数が多いなどの理由によって複数枚の記録媒体が作成され、各々の記録媒体に対応してインデックスプリントが作成される注文の場合などでは、注文毎に付与される注文番号や受付番号などを利用しても、複数の記録媒体と複数のインデックスプリントとを個々に対応付けることはできない。【０００５】
そこで、従来は、記録媒体やインデックスプリントなどの生産物の作成順序を参照したり、プリントに表示される画像や記録媒体に記録された画像ファイルの画像を確認したり、対応関係を手書きしたメモを生産物に付加するなどの方法によって複数の生産物の対応付けを行っていたが、このような方法では対応付けに間違いが生じたり、対応付けが煩雑になるなどの問題があった。【０００６】
本発明は、上記問題点に鑑みてなされたものであって、その主たる目的は、注文に含まれる各々の作業に対して作成される複数の生産物を迅速かつ確実に対応付けることができる受付端末、注文処理システム、注文処理方法及びプログラムを提供することにある。
【課題を解決するための手段】
【０００７】
上記目的を達成するため、本発明の受付端末は、画像ファイルを利用した注文を受け付ける受付端末において、予め定められたルールに従って、前記注文に含まれる各々の作業を識別するための識別情報を生成する識別情報生成手段を少なくとも備えるものである。【０００８】
本発明においては、更に、少なくとも前記注文に関する情報と前記識別情報とが記載された注文票を印刷手段に出力させる印刷指示手段を備える構成とすることができる。【０００９】
また、本発明においては、前記印刷指示手段は、前記注文に関する情報と前記識別情報とを区画して記載させ、前記識別情報が記載された区画を前記注文票から切り離して利用可能とする構成とすることができ、前記印刷指示手段は、前記注文票に加えて、少なくとも前記識別情報が記載された紙片又はシールを印刷手段に出力させる構成とすることもできる。【００１０】
また、本発明の注文処理システムは、画像ファイルを利用した注文を受け付ける受付端末と、前記注文の処理を行う出力装置とを少なくとも備える注文処理システムにおいて、前記受付端末に、予め定められたルールに従って、前記注文に含まれる各々の作業を識別するための識別情報を生成する識別情報生成手段と、少なくとも前記注文に関する情報と前記識別情報とが記載された注文票を印刷手段に出力させる印刷指示手段と、少なくとも前記識別情報を前記出力装置に送信する送信手段と、を少なくとも備え、前記出力装置に、少なくとも前記識別情報を受信する手段と、前記識別情報が記録された生産物を作成する出力手段と、を少なくとも備えるものである。【００１１】
本発明においては、前記出力装置に、前記識別情報を表示手段に表示させる表示制御手段を備える構成とすることができる。【００１２】
また、本発明の注文処理方法は、画像ファイルを利用した注文を受け付ける受付端末における注文処理方法であって、前記注文を受け付ける処理と、予め定められたルールに従って、前記注文に含まれる各々の作業を識別するための識別情報を生成する処理と、少なくとも前記注文に関する情報と前記識別情報とが記載された注文票を印刷手段に出力させる処理と、を少なくとも行うものである。【００１３】
また、本発明の注文処理方法は、画像ファイルを利用した注文を受け付ける受付端末と、前記注文の処理を行う出力装置とを少なくとも備える注文処理システムにおける注文処理方法であって、前記受付端末で、前記注文を受け付ける処理と、予め定められたルールに従って、前記注文に含まれる各々の作業を識別するための識別情報を生成する処理と、少なくとも前記注文に関する情報と前記識別情報とが記載された注文票を印刷手段に出力させる処理と、少なくとも前記識別情報を前記出力装置に送信する処理と、を少なくとも行い、前記出力装置で、少なくとも前記識別情報を受信する処理と、前記識別情報が記録された生産物を作成する処理と、を少なくとも行い、前記注文票に記載された識別情報と前記生産物に記録された識別情報とを参照して、前記各々の作業に対して作成される複数の前記生産物の対応付けを行うものである。【００１４】
本発明においては、前記出力装置で、前記識別情報を表示手段に表示させる処理を行い、前記注文票に記載された識別情報と前記表示手段に表示された識別情報と前記生産物に記録された識別情報とを参照して、前記各々の作業に対して作成される複数の前記生産物の対応付けを行う構成とすることができる。【００１５】
このように、本発明の構成によれば、注文票や紙片又はシールなどに記載される識別情報や生産物自体に記録される識別情報、表示手段に表示される識別情報などを参照することによって、複数の生産物を迅速かつ確実に対応付けることができる。【００１６】
また、本発明のプログラムは、画像ファイルを利用した注文の処理を行うプログラムであって、予め定められたルールに従って、前記注文に含まれる各々の作業を識別するための識別情報を生成する識別情報生成ステップをコンピュータに実行させるものである。
【発明の効果】
【００１７】
本発明の受付端末、注文処理システム、注文処理方法及びプログラムによれば、注文に含まれる各々の作業に対して作成される複数の生産物を迅速かつ確実に対応付けることができる。【００１８】
その理由は、本発明の受付端末では、予め定められたルールに従って注文に含まれる各々の作業を識別するための識別情報を生成し、注文票や専用の紙片又はシールなどに識別情報を記載したり、この識別情報を出力装置に送信する処理を行い、また、本発明の出力装置では、送信された識別情報を受信し、この識別情報を表示手段に表示したり、各々の作業に対して作成される生産物に、該作業に対応する識別情報を記録するなどの制御を行うため、これらの識別情報を用いて複数の生産物を対応付けることができるからである。
【図面の簡単な説明】
【００１９】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末の機能を示すブロック図である。
【図５】本発明の一実施例に係る受付端末を用いた注文受付の手順を示すフローチャート図である。
【図６】図５における識別情報の生成の手順を示すフローチャート図である。
【図７】本発明の一実施例に係る受付端末を用いた注文処理の手順を示すフローチャート図である。
【図８】本発明の一実施例に係る受付端末の表示手段に表示される画面構成例（作業選択画面）を示す図である。
【図９】本発明の一実施例に係る受付端末の表示手段に表示される画面構成例（プリントサイズ選択画面）を示す図である。
【図１０】本発明の一実施例に係る受付端末の表示手段に表示される画面構成例（納期選択画面）を示す図である。
【図１１】本発明の一実施例に係る受付端末の表示手段に表示される画面構成例（一括選択画面）を示す図である。
【図１２】本発明の一実施例に係る受付端末の表示手段に表示される画面構成例（画像選択画面）を示す図である。
【図１３】本発明の一実施例に係る受付端末の表示手段に表示される画面構成例（日付有り／無し選択画面）を示す図である。
【図１４】本発明の一実施例に係る受付端末の表示手段に表示される画面構成例（注文管理画面）を示す図である。
【図１５】本発明の一実施例に係る受付端末の表示手段に表示される画面構成例（作業内容選択画面）を示す図である。
【図１６】本発明の一実施例に係る出力装置の表示手段に表示される画面構成例（識別情報表示画面）を示す図である。
【図１７】本発明の一実施例に係る受付端末で作成される注文票及び対応付け用紙片の構成例を示す図である。
【図１８】本発明の一実施例に係る出力装置で作成されるインデックスプリントの構成例を示す図である。
【符号の説明】
【００２０】
１  注文処理システム
２  受付端末
２ａ  注文管理端末
３  表示手段
４  操作手段
５  メディア装填部
６  機器接続部
７  レシートプリンタ
８  メディア
９  デジタルカメラ
９ａ  カメラ付き携帯電話機
１０  出力装置
１１ａ  記録媒体作成装置
１１ｂ  プリント作成装置
１２  写真プリント
１３  記録媒体
１４  記録媒体装填部
１５  ファイル読み取り手段
１６  識別情報生成手段
１７  表示制御手段
１８  ファイル送信手段
１９  印刷指示手段
２０  注文票
２０ａ  対応付け用シール
２１  作業選択画面
２２  プリントサイズ選択画面
２３  納期選択画面
２４  一括選択画面
２５  画像選択画面
２６  日付有り／無し選択画面
２７  注文管理画面
２８  タグ
２９  一覧表示欄
３０  作業内容選択画面
３１  識別情報表示画面
３２  インデックスプリント
４０  ＣＰＵ
４１  記憶手段
【発明を実施するための最良の形態】
【００２１】
本発明の注文処理システムは、その好ましい一実施の形態において、受付端末に、デジタルカメラやメディアなどから画像ファイルなどを読み取るファイル読み取り手段と、予め定められたルールに従って、読み取った画像ファイルに対する注文に含まれる各々の作業を識別するための識別情報を生成する識別情報生成手段と、レシートプリンタなどを用いて、識別情報が記載された注文票や対応付け用の紙片、シールなどを出力させる印刷指示手段と、記録媒体作成装置やプリント作成装置などの出力装置に識別情報が記録された注文情報ファイルや画像ファイルを送信する送信手段と、注文を受け付けるための画面や注文を処理するための画面を表示手段に表示させる表示制御手段と、表示手段及び操作手段とを少なくとも備え、出力装置に、識別情報が記録された注文情報ファイルや画像ファイルを受信する受信手段と、該識別情報を表示手段に表示させる表示制御手段と、各々の作業に対する生産物を作成する際に、該作業に対応する識別情報を記録して該生産物を作成する出力手段とを少なくとも備える。これにより、各々の作業に対して付与された識別情報を利用して複数の生産物を迅速かつ確実に対応付けることができる。
【実施例】
【００２２】
上記実施の形態について詳細に説明すべく、本発明の一実施例に係る受付端末、注文処理システム、注文処理方法及びプログラムについて、図１乃至図１７を参照して説明する。図１は、本実施例に係る注文処理システムの構成を模式的に示す図であり、図２及び図３は、受付端末のバリエーションを示す図、図４は、受付端末の機能を示すブロック図である。また、図５乃至図７は、本実施例の受付端末を用いた注文処理の手順を示すフローチャート図であり、図８乃至図１５は、受付端末の表示手段に表示される画面構成例、図１６は出力装置の表示手段に表示される画面構成例を示す図である。また、図１７は、本実施例の受付端末で作成される注文票の構成例を示す図であり、図１８は出力装置で作成される生産物の構成例を示す図である。【００２３】
図１に示すように、本実施例の注文処理システム１は、ミニラボなどに写真店やコンビニエンスストアなどの注文店などに設置され、記録媒体の作成や写真プリントなどの注文を受け付け、該注文の処理を行う受付端末２と、写真店や生産店などに設置される記録媒体作成装置１１ａやプリント作成装置１１ｂなどの出力装置１０とで構成され、これらはＬＡＮやＷＡＮ、ＶＡＮなどの通信ネットワークを介して接続されている。【００２４】
また、図４に示すように、本実施例の受付端末２は、ＣＰＵ４０を中心に以下の各部を備える。ＣＰＵ４０で各部を制御するのに必要な制御プログラムや画像ファイル等のデータを記憶する記憶手段４１と、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて画像ファイルを読み取るファイル読み取り手段１５と、予め定められたルールに従って、読み取った画像ファイル（又はその中から選択された画像ファイル）に対する注文に含まれる各々の作業を識別するための識別情報を生成する識別情報生成手段１６と、レシートプリンタ７などを用いて上記識別情報が記載された注文票や対応付け用の紙片、シールなどを出力する印刷指示手段１９と、記録媒体作成装置１１ａやプリント作成装置１１ｂなどの出力装置１０に識別情報が記録された注文情報ファイルと画像ファイルなどを送信する送信手段１８と、注文を受け付けるための画面や注文を処理するための画面を表示手段に表示させる表示制御手段１７と、ＬＣＤ、ＣＲＴ等の表示手段３と、ボタン、キーボード、マウス等の操作手段４などを備えている。【００２５】
また、本実施例の出力装置１０には、受付端末２から送信された識別情報が記録された注文情報ファイルや画像ファイルを受信する受信手段と、識別情報を表示手段に表示させる表示制御手段と、各々の作業に対する生産物を作成する際に、該作業に対応する識別情報を記録して該生産物を作成する出力手段などを備えている。また、プリント作成装置１１ｂは、銀塩プリンタや昇華プリンタ、インクジェットプリンタなどの任意の種類のプリンタを用いることができ、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）の写真プリント１２の作成を行う機能を備え、記録媒体作成装置１１ａには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部１４を備えている。【００２６】
なお、図１では、受付端末２と記録媒体作成装置１１ａとプリント作成装置１１ｂとを別々の装置として記載しているが、例えば、図２に示すように、受付端末２と記録媒体作成装置１１ａの機能を兼ね備えたコンピュータ機器としてもよい。また、図１では、受付端末２で注文を処理して、記録媒体作成装置１１ａやプリント作成装置１１ｂなどの出力装置１０に作業を実行させる構成としているが、図３に示すように、受付端末２と出力装置１０との間に注文を管理する注文管理端末２ａを設け、受付端末２では注文の受付のみを行って注文情報を注文管理端末２ａに送信し、該注文管理端末２ａで識別情報の生成や注文票の出力などを行い出力装置１０に作業を実行させる構成としてもよい。【００２７】
次に、上記構成の受付端末２を用いて注文を受け付ける手順について、図５のフローチャート図を参照して説明する。このフローは、記憶手段４１に記憶されている制御プログラムに基づいて、ＣＰＵ４０により実行される。【００２８】
まず、受付端末２の表示手段３に、例えば、図８に示すような作業選択画面２１が表示される。この作業選択画面２１には、画像ファイルから写真プリント１２を作成するのか、画像ファイルを記録した記録媒体１３を作成するのか、又は記録媒体とインデックスプリントを作成するのかなどの実行する作業を選択するボタンが表示され、ステップＳ１０１で、ユーザはその中から所望の作業（ここでは、複数の作業が混在する例として、記録媒体１３を作成する作業とインデックスプリントを作成する作業）を選択する。その後、ステップＳ１０２で、メディア装填部５にメディア８を装填、又は機器接続部６にデジタルカメラ９を接続する。【００２９】
なお、図８では３つのボタンを表示しているが、作業の構成は任意である。また、記録媒体１３を作成する場合は、画像ファイルのバックアップのみを行ってもよいし、画像ファイルに加えて、該画像ファイルを音楽付きスライドショーとして再生するためのＶｉｄｅｏ−ＣＤなどの家電機器用のデータを生成して記録してもよい。【００３０】
次に、ステップＳ１０３で、写真プリント１２の作成が選択されている場合は、ステップＳ１０４で、表示制御手段１７は、表示手段３に例えば図９に示すような写真プリント１２のプリントサイズをユーザに選択させるためのプリントサイズ選択画面２２を表示させる。このプリントサイズ選択画面２２には、Ｅ、Ｌ、ＬＤ、２Ｌ、２ＬＤ、ＫＧ、８つ、６つ、４つ、６つＷ、４つＷ、Ａ４、Ａ３などの各種プリントサイズが選択可能に表示されており、ユーザは操作手段４を操作して所望のプリントサイズを選択する。【００３１】
次に、ステップＳ１０５で、表示制御手段１７は、表示手段３に例えば図１０に示すような納期をユーザに選択させるための納期選択画面２３を表示させる。この納期選択画面２３には、特急、普通、翌日などの各種納期が選択可能に表示されており、ユーザは操作手段４を操作して所望の納期を選択する。【００３２】
次に、ステップＳ１０５の処理の後に、又は、ステップＳ１０３からＳ１０５の処理と並行して、ステップＳ１０６で、ファイル読み取り手段１５は、メディア装填部５に装填されたメディア８や機器接続部６に接続されたデジタルカメラ９から画像ファイルと必要に応じてＤＰＯＦ（Digital Print Order Format）ファイルなどの注文情報ファイルを読み取る。【００３３】
次に、表示制御手段１７は、表示手段３に、例えば図１１に示すような一括選択画面２４を表示させた後、例えば図１２に示すような画像選択画面２５を表示させる。この画像選択画面２５には、各々の画像ファイルの画像を日付順やファイル名順などの予め定められた順番（図ではファイル名の昇順）で配列するための複数の枠が設けられており、各々の枠の近傍には、対応する画像ファイルに対する処理を設定するためのボタン（ディスク作成モードの場合は画像を回転させるためのボタンや画像の選択／解除を指示するためのボタン、画像を拡大表示するためのボタンなど）が設けられている。そして、ステップＳ１０７でユーザは画像選択画面２５に表示された画像ファイルの中から処理の対象となる画像ファイルを選択する。【００３４】
次に、ステップＳ１０８で、写真プリント１２の作成が選択されている場合は、プリント対象となる画像ファイルのＥＸＩＦ（Exchangeable Image File Format）情報や注文情報ファイルに日付情報が記録されているかを判断し、プリント対象となる少なくとも１つの画像ファイルに日付情報が記録されている場合又は注文情報ファイルに日付情報が記録されている場合は、写真プリント１２に日付を書き込むことができるため、表示制御手段１７は、例えば、図１３に示すような、写真プリント１２に日付を書き込むか否かを選択するボタンが表示された日付有り／無し選択画面２６を表示手段３に表示させる。【００３５】
次に、ステップＳ１０９で、ユーザは日付有り／無し選択画面２６で日付の有り／無しを選択し、日付無しを選択した場合は、画像ファイル又は注文情報ファイルの少なくとも一方の所定の記述場所にその画像ファイルに基づく画像に日付が書き込まれないようにする処理を行うなどして、日付無しに設定する。また、日付有りを選択した場合は、注文情報ファイルの日付指定に関する記述場所にＥＸＩＦ情報に記述された日付情報を書き込むなどして、日付有りに設定する。【００３６】
その後、従来の受付端末では、上記手順で設定された注文に対して注文番号や受付番号を設定し、レシートプリンタ７を用いて注文番号や受付番号、注文内容が記録された注文票を出力し、注文番号や受付番号、注文内容を注文情報ファイルに記録していたが、この構成では、１つの注文内に複数の作業（例えば、記録媒体１３の作成とインデックスプリントの作成）が含まれており、かつ、画像ファイルが複数の記録媒体１３に分割して記録され、各々の記録媒体１３に対してインデックスプリントが作成される場合などでは、どの記録媒体１３とどのインデックスプリントとが対応するのかなどを注文番号や受付番号で判別することができないという問題があった。そのため、従来は、後述する注文の処理を行う際に、オペレータが記録媒体１３やインデックスプリントなどの生産物の作成順序を参照したり、生産物に表示又は記録された画像を確認したり、対応関係を手書きしたメモなどを生産物に付加するなどによって複数の生産物の対応付けを行っていたが、このような方法では対応付けに間違いが生じたり対応付けが煩雑になるなどの問題があった。【００３７】
そこで、本実施例の受付端末２では、上記問題の発生を未然に防止するために、ステップＳ１１０で、識別情報生成手段１６を用いて、予め定められたルールに従って、注文に含まれる各々の作業を識別するための識別情報を生成し、この識別情報を利用して各々の作業で作成される生産物の対応付けを行うようにしている。
図６に、識別情報生成手段１６により実行される識別情報の生成の制御フローを示す。この制御フローは、記憶手段４１に記憶されている制御プログラムに基づいて、ＣＰＵ４０により実行される。
一例として、ステップＳ１０１の作業の選択において、記録媒体を作成する作業とインデックスプリントを作成する作業とが選択された場合について説明するが、記録媒体を作成する作業のみの場合等においても同様の考え方である。
まず、ステップＳ１１０１で、ステップＳ１０７において選択された画像ファイルの合計容量と記録媒体の容量とから、必要な記録媒体の枚数を算出する。例えば、画像ファイルの合計容量が９０ＭＢで、記録媒体（ＣＤ−Ｒ）の容量が７００ＭＢであれば、必要な記録媒体の枚数は１枚と算出される。
次に、ステップＳ１１０２で、ステップＳ１０７において選択された画像ファイルのコマ数と１枚のインデックスプリントに載せられる画像のコマ数とから、必要なインデックスプリントの枚数を算出する。例えば、画像ファイルのコマ数が９０コマで、１枚のインデックスプリントに載せられる画像のコマ数が図１８のように４８コマであれば、必要なインデックスプリントの枚数は２枚と算出される。
次に、ステップＳ１１０３で、ステップＳ１１０１及びステップＳ１１０２において算出された必要な記録媒体の枚数及び必要なインデックスプリントの枚数の多い方の枚数に基づいて分割数を決定する。例えば、上記の具体例では、必要なインデックスプリントの枚数である２枚に基づいて、分割数は２となる。
次に、ステップＳ１１０４で、ステップＳ１１０３において決定した分割数に基づいて作成する識別情報の個数を決定する。例えば、上記の具体例では、分割数２に基づいて、作成する識別情報の個数は２個となる。
次に、ステップＳ１１０５で、ステップＳ１１０４において決定した個数の識別情報を予め定められたルールに従って作成する。例えば、上記の具体例では、「“ＡＡＡＡ１”、“ＡＡＡＡ２”、・・・」の順にというルールに従って、“ＡＡＡＡ１”と“ＡＡＡＡ２”の２つの識別情報が作成される。
次に、ステップＳ１１０６で、作成された識別情報と分割後の記録媒体との対応付け、及び作成された識別情報と分割後のインデックスプリントとの対応付けを記憶手段４１に記憶する。例えば、上記の具体例では、１枚目の記録媒体及びインデックスプリントが識別情報“ＡＡＡＡ１”、２枚目の記録媒体及びインデックスプリントが識別情報“ＡＡＡＡ２”との対応付けが記憶される。
次に、ステップＳ１１０７で、作成された識別情報と画像ファイルとの対応付けを記憶手段４１に記憶する。例えば、上記の具体例では、４８番目のコマまでが識別情報“ＡＡＡＡ１”、それ以降のコマは識別情報“ＡＡＡＡ２”との対応付けが記憶される。
なお、識別情報生成手段１６で生成する識別情報の具体的な構成は限定されず、例えば、通し番号などを用いてもよいが、多数の作業が混在する場合であっても確実に生産物を識別できるようにユニークな構成とすることが好ましく、また、記録媒体１３にＩＤ番号が付与される場合にはそのＩＤ番号を利用して識別情報を構成してもよい。また、識別情報は、ステップＳ１０１で選択した作業毎（例えば、記録媒体１３を作成する作業とインデックスプリントを作成する作業の各々）に生成してもよいし、更に細分化した作業毎（例えば、画像ファイルを複数枚の記録媒体１３に分割して記録する場合に、複数枚の記録媒体１３の各々）に生成してもよいし、上記実施形態のように複数の作業を組み合わせたセット毎（例えば、画像ファイルを複数枚の記録媒体１３に分割して記録し、各々の記録媒体１３にインデックスプリントを作成する場合に、１枚の記録媒体１３と１枚のインデックスプリントのセット毎）に生成してもよい。【００３８】
次に、ステップＳ１１１で、レシートプリンタ７などを用いて所定の事項が記録された注文票を出力し、その一部（お客様控え）をユーザに、他の一部（店頭控え）をオペレータに提供する。その際、従来の受付端末では、注文票には注文番号や受付番号、注文内容などが記録されるだけであり、個々の作業に対する識別情報は記録されないため、この注文票では１つの注文で作成される複数の生産物を対応付けることはできなかった。そこで、本実施例の受付端末２では、印刷指示手段１９を用いて注文票に各々の作業に対応付けられた識別情報を記録し、該識別情報が記録された区画を切り離して生産物に添付することによって１つの注文で作成される複数の生産物の対応付けを可能にしている。【００３９】
この注文票は、注文に関する情報と識別情報とが記載されていればよく、その具体的な構成は限定されないが、例えば、図１７（ａ）に示すように、ユーザを特定する情報（お客様氏名及びお客様電話番号）と、注文を特定する情報（注文番号や受付日時、受付番号など）と、注文内容を特定する情報（注文の具体的な構成や価格など）と、各々の作業に対応付けられた識別情報（ここではインデックス付きのディスクの各々に対応付けられた識別情報）などで構成することができ、識別情報が記録された区画（対応付け用の紙片）を注文票２０から切り離して、各々の生産物に、対応する識別情報が記載された紙片の一部を添付（例えば、１枚目の記録媒体１３（ディスク１）に、識別番号AAAA1が記載された紙片の上半分を添付）することによって、後述するステップで作成される他の生産物（例えば、インデックスプリント）との対応付けを可能にする。また、図１７（ａ）では識別情報を注文票２０の中に記録しているが、注文票２０とは別の対応付け用の紙片に識別情報を記録してもよいし、識別情報が記録された紙片が生産物から容易に離脱しないように、例えば、図１７（ｂ）に示すように、識別情報が記載された各々の個片をシール状にした対応付け用シール２０ａを作成し、この対応付け用シール２０ａを生産物に貼り付けるようにしてもよい。【００４０】
次に、ステップＳ１１２で、注文番号や受付番号、注文内容などに加えて上記識別情報が注文情報ファイルに記録されて一連の注文受付処理が終了する。【００４１】
その後、写真店や注文店のオペレータは受付端末２を操作し、記録媒体作成装置１１ａやプリント作成装置１１ｂなどの出力装置１０を制御して記録媒体１３の作成や写真プリント１２の作成などの各種作業を開始する。以下、受付端末２（又は、注文管理端末２ａを備える構成では該注文管理端末２ａ）を用いてオペレータが注文を処理する手順について、図７のフローチャート図を参照して説明する。【００４２】
まず、ステップＳ２０１で、オペレータが操作手段４を操作して注文管理モードに設定すると、表示制御手段１７は、表示手段３に例えば、図１４に示すような注文管理画面２７を表示させる。この注文管理画面２７には、受付端末２に記憶された注文の内、未処理の注文と処理済みの注文とを分類するタグ２８と、各々の注文の内容を受付番号毎に表示する一覧表示欄２９とが設けられており、オペレータは未処理の注文の中から処理しようとする注文（ここでは複数の作業が混在する注文の例として受付番号０１００６の注文）を選択する。【００４３】
次に、ステップＳ２０２で、表示制御手段１７は、表示手段３に例えば、図１５に示す作業内容選択画面３０を表示させる。この作業内容選択画面３０には、選択された注文に含まれる作業を示すボタン（図中の”プリント”、”ディスク”、”ジャケット”、”インデックス”の各ボタン）が設けられており、オペレータは該ボタンの中から実行する作業に対応するボタン（ここでは”ディスク”と”インデックス”）を選択する。【００４４】
次に、ステップＳ２０３で、送信手段１８は各々の作業を処理する出力装置１０に、注文番号や受付番号、注文内容に加えて上記識別情報が記録された注文情報ファイルと、各々の作業に必要な画像ファイルとを送信し、ステップＳ２０４で、各々の出力装置１０は、注文情報ファイルの指示に従って各々の作業を実行する。【００４５】
ここで、従来は、注文情報ファイルに個々の作業に対する識別情報が記録されていないため、出力装置１０で各々の作業を実行する際に、作成している生産物が注文のどの作業に対応する生産物であるかをオペレータ自身が判断しなければならなかったが、本実施例では注文情報ファイルに識別情報が記録されているため、この識別情報を利用して、例えば、図１６に示すような識別情報表示画面３１を表示手段に表示させることができ、オペレータはこの識別情報表示画面３１を確認することによって、作成している生産物が注文のどの作業に対応する生産物であるかを認識することができる。そして、表示された識別情報と同じ識別情報が記録された対応付け用紙片を注文票２０から切り離して作成している生産物に添付する（例えば、出力装置１０が記録媒体作成装置１１ａであり、生産物が記録媒体１３の場合は、記録媒体１３を収納するケースなどに差し込む）ことによって生産物の対応付けを可能にすることができる。【００４６】
また、本実施例では注文情報ファイルに識別情報が記録されているため、この識別情報を利用して、該識別情報を生産物に直接記録することも可能である。例えば、出力装置１０がプリント作成装置１１ｂであり、生産物がインデックスプリントの場合は、図１８に示すように、インデックスプリント３２の所定の場所（例えば、インデックスプリント３２の表面や裏面の隅部など）に識別情報を記録することにより、生産物の対応付けを可能にすることもできる。【００４７】
そして、ステップＳ２０５で、全ての作業の処理が終了したかを判断し、作業が終了していない場合は、ステップＳ２０３に戻って次の作業に対して同様の処理を行い、作業が終了している場合は、ステップＳ２０６で、複数の生産物の対応付けを行う。その際、本実施例では、生産物に紙片やシールが添付され（例えば、記録媒体１３を収納するケースに紙片が差し込まれ、又はケースにシールが貼り付けられ）、また、生産物自体に識別情報が記録（例えば、インデックスプリント３２に識別情報が記入）されているため、紙片やシールに記録された識別情報と生産物自体に記録された識別情報と必要に応じて表示手段に表示された識別情報とを照らし合わせることによって複数の生産物を迅速かつ確実に対応付けることができる。【００４８】
その後、ステップＳ２０７で、注文票２０と引き替えに対応付けた複数の生産物（例えば、識別情報AAAA1のディスク１とインデックスプリント、識別情報AAAA2のディスク２とインデックスプリントなど）をセットにしてユーザに提供して一連の注文処理を終了する。【００４９】
このように、本実施例の受付端末２では、注文に含まれる各々の作業を識別するための識別情報が生成され、該識別情報が注文票や紙片、シールなどに記載され、また、識別情報が出力装置１０に送信されて表示手段に表示され、また、出力装置１０で作成される生産物に記録されるため、これらの識別情報を照らし合わせることによって複数の生産物を迅速かつ確実に対応付けることができる。【００５０】
なお、上記実施例では、複数の作業として記録媒体１３の作成とインデックスプリント３２の作成とを例にして説明したが、本発明は上記実施例に限定されるものではなく、複数の生産物をセットにしてユーザに提供することが求められる任意の作業に適用することができる。また、上記実施例では、デジタルカメラ９やメディア８に記録された画像ファイルを用いた処理について説明したが、ネガフィルムから読み取った画像ファイル、通信ネットワークを介して取得した画像ファイルや音楽ファイルなどに対しても同様に適用することができる。
【図４】
2006077690.tif 000002
【図５】
2006077690.tif 000003
【図６】
2006077690.tif 000004
【図１】
2006077690.tif 000005
【図２】
2006077690.tif 000006
【図３】
2006077690.tif 000007
【図７】
2006077690.tif 000008
【図８】
2006077690.tif 000009
【図９】
2006077690.tif 000010
【図１０】
2006077690.tif 000011
【図１１】
2006077690.tif 000012
【図１２】
2006077690.tif 000013
【図１３】
2006077690.tif 000014
【図１４】
2006077690.tif 000015
【図１５】
2006077690.tif 000016
【図１６】
2006077690.tif 000017
【図１７】
2006077690.tif 000018
【図１８】
2006077690.tif 000019
【国際調査報告】
2006077690.tif 000020
2006077690.tif 000021